(57)【要約】【課題】  クラブフェースをブレなく正確にストロークすることができながら、各ゴルフ場のグリーンの芝などの状況に合わせてクラブヘッドの重心位置を選択的に前後移動できるゴルフパターを得ること。【解決手段】  ゴルフパターのクラブヘッド２がクラブフェース部２１とクラブフェース部２１の後面中央から後方に延びるヘッド本体２３とを備える。ネック体４がヘッド本体２３の上部中心線上から起立する取付基部４１と、取付基部４１の上部からクラブヘッド２のクラブフェース面とほぼ平行に延びる第１水平部４２と、第１水平部４２の終端からクラブフェース面に対しほぼ垂直でクラブフェース部２１の上方側に延びる第２水平部４３と、第２水平部４３の終端から立ち上がる立上部４４とを備えて平面視Ｌ型を呈する。ネック体４における立上部４４の上端にシャフト３の下端部を連結した。【選択図】  図２
0003111842.tif 000002
【実用新案登録請求の範囲】
【請求項１】
クラブヘッドとシャフトとこれらクラブヘッドとシャフトとを連結するネック体とを備えたゴルフパターであって、クラブヘッドがクラブフェース部とクラブフェース部の後面中央から後方に延びるヘッド本体とを備える一方、ネック体がヘッド本体の上部中心線上から起立する取付基部と、取付基部の上部からクラブヘッドのクラブフェース面とほぼ平行に延びる第１水平部と、第１水平部の終端からクラブフェース面に対しほぼ垂直でクラブフェース部の上方側に延びる第２水平部と、第２水平部の終端から立ち上がる立上部とを備えて平面視Ｌ型を呈し、かつ、このネック体における立上部の上端にシャフトの下端部が連結されていることを特徴とするゴルフパター。
【請求項２】
クラブヘッドにおけるヘッド本体の上部中心線上に３つのネジ穴が形成されている一方、ネック体の取付基部の下部にネジ穴に螺着可能なネジが形成され、該ネジのネジ穴への螺着によりネック体を３つのネジ穴のうち、いずれか一つに選択的に取り付けられるように構成されていることを特徴とする請求項１に記載のゴルフパター。
【考案の詳細な説明】
【技術分野】
【０００１】  本考案は、クラブヘッドとシャフトとこれらクラブヘッドとシャフトとを連結するネック体とを備えたゴルフパターに関する。
【背景技術】
【０００２】  従来、ゴルフパターとして、例えばスイートエリアを外れてボールを打った場合でも、クラブヘッドの重心を中心に回転しようとする力を抑制し、クラブヘッドが回転しないようにするものとして、図６及び図７に示すようにネック体ＡがクラブヘッドＢの後部一端側からクラブヘッドＢのクラブフェース面Ｃとほぼ垂直となるように後方上部に延び、その後湾曲してクラブヘッドＢの上部前方に至る形状とし、このネック体Ａの上端における立上部ＤにシャフトＥの下端部を連結した構成のものが知られている（例えば、特許文献１参照。）。
【特許文献１】  特開２００２−２３９０４６  公報
【考案の開示】
【考案が解決しようとする課題】
【０００３】  ところが、上記したゴルフパターによれば、クラブヘッドＢが平面視横長の角棒状で、その一端部にネック体Ａが取付けられる構造上、クラブヘッドＡのネック体Ａ取付側一端部にボールが当たる場合には問題がないが、クラブヘッドＢの他端側（ネック体Ａの反取付側）にボールが当たるとネック体Ａの取付位置を支点にクラブヘッドＢが回転しようとする力が依然として発生する問題があった。また、クラブヘッドＢが平面視横長の角棒状であるため、重心深度が浅めで、ヘッド重量も軽く、そのため、ボールの転がり性が悪く、パターそのものによる距離感が出しづらく、常にプレーヤーの熟練したタッチで距離感を出していかねばならないものであった。【０００４】  そこで、本考案はクラブフェースをきちんと目標に向けてブレなく正確にストロークすることができながら、スイートエリアを外れてボールを打った場合でも、クラブヘッドの重心を市心に回転しようしする力を効果的に抑え、その上、重心深度が深めで、ヘッド重量も重くして、ボールの転がりを良くすることのできるゴルフパターの提供を課題とする。【０００５】  また、他の課題は各ゴルフ場のグリーンの芝などの状況に合わせてクラブヘッドの重心位置を選択的に前後移動できるゴルフパターの提供を課題とする。
【課題を解決するための手段】
【０００６】  上記した問題を解決するために、本願の請求項１に記載の考案は、クラブヘッドとシャフトとこれらクラブヘッドとシャフトとを連結するネック体とを備えたゴルフパターであって、クラブヘッドがクラブフェース部とクラブフェース部の後面中央から後方に延びるヘッド本体とを備える一方、ネック体がヘッド本体の上部中心線上から起立する取付基部と、取付基部の上部からクラブヘッドのクラブフェース面とほぼ平行に延びる第１水平部と、第１水平部の終端からクラブフェース面に対しほぼ垂直でクラブフェース部の上方側に延びる第２水平部と、第２水平部の終端から立ち上がる立上部とを備えて平面視Ｌ型を呈し、かつ、このネック体における立上部の上端にシャフトの下端部が連結されていることを特徴とする。【０００７】  また、本願の請求項２に記載の考案は、クラブヘッドにおけるヘッド本体の上部中心線上に３つのネジ穴が形成されている一方、ネック体の取付基部の下部にネジ穴に螺着可能なネジが形成され、該ネジのネジ穴への螺着によりネック体を３つのネジ穴のうち、いずれか一つに選択的に取り付けられるように構成されていることを特徴とする。
【考案の効果】
【０００８】  本考案のゴルフクラブのパターによれば、たとえば平面視Ｔ字型のクラブヘッドで、ネック体がクラブヘッドの上部中央の後方部に取付けられる構造であるから、重心深度が深めで、ヘッド重量も重めであり、そのため、クラブヘッドが前に出やすく、つまりインパクト時に重心は未だ後に残っているのでクラブヘッドがインパクト後前に動く分ボールの転がりがよくなる。したがって、プレーヤーの高度なタッチを必要とすることなく、パターそのものにより仕事をさせることが可能となる。しかも、ネック体がクラブヘッドの上部中心線上から上方に起立する取付基部と、取付基部の上端からクラブフェースとほぼ平行で水平に延びる第１水平部と、第１水平部の終端からクラブフェースに対しほぼ垂直でクラブフェースの上方近くに延びる第２水平部と、第２水平部の終端から上方に立ち上がる立上部とを備えて平面視Ｌ型を呈しているので、きちんと目標に向けてブレなくブレのない正確なストロークを得ることができながら、クラブヘッドの上部中心線上での取付部における第１支点と、クラブフェースの上方近くのシャフトとの連結部における第２支点との組合せによる２個所の支点により、スィートエリアを外れてボールを打った場合でも、クラブヘッドの重心を中心に回転しようしする力を効果的に抑制し、クラブヘッドが回転しないようにすることができる。【０００９】  また、ヘッド本体の上部中心線上に３つのネジ穴を設けると共に、ネック体の取付基部を３つのネジ穴のいずれかに選択的にネジ止めにより取け付けられるように構成したから、ネック体の取付基部のネジ穴への取付位置を変更することにより、クラブヘッドの重心位置を前後三段に変更することができる。これにより、各ゴルフ場のグリーンの芝の状況などによって、クラブヘッドの重心位置を前後三段に変更して３通りの打ち方の中から最適な打ち方を選択することができる。
【考案を実施するための最良の形態】
【００１０】  以下、本考案の実施の形態を図に基づいて説明する。
図１及び図２は本考案のゴルフパターを示すもので、該パター１は、クラブヘッド２とシャフト３とこれらクラブヘッド２とシャフト３とを連結するネック体４とを備えている。【００１１】  クラブヘッド２はクラブフェース部２１とクラブフェース部２１の後面中央から後方に一体的に延びるヘッド本体２２とを備え、全体として平面視Ｔ字状を呈している。クラブフェース部２１の上部中央には、天然石による中間目印２３が埋め込まれており、また、クラブフェース部２１の両側には、適宜重さのバランスウェート２４，２４が着脱可能に取け付けられている。クラブフェース部２１とヘッド本体２２の中心部には、例えば芯材となるタングステンなどの円柱芯体２５が埋設されている。ヘッド本体２２の中間目印２３から後方へ垂直に延びる中心線Ｘ上には、３つのネジ穴２６，２７，２８が形成され、いずれか１つのネジ穴にネック体４が選択的に取り付けられる。なお、ネック体４が取り付けられた以外のネジ穴には、蓋体などを被せるようにしてもよい。【００１２】  ネック体４は、ネジ孔２６，２７，２８に螺着可能なネジ４１ａ付き取付基部４１と、取付基部４１の上部からクラブフェース面とほぼ平行に延びる第１水平部４２と、第１水平部４２の終端からクラブフェース面に対しほぼ垂直でクラブフェース部２１の上方近くに延びる第２水平部４３と、第２水平部４３の終端から上方に立ち上がる立上部４４とを備えている。つまり、ネック体４は、第１水平部４２と第２水平部４３とで平面視Ｌ型に形成され、ネック体４の取付基部４１はそのネジ４１ａによるネジ止めによりヘッド本体２２の３つのネジ穴２６，２７，２８のいずれかに選択的に取け付けられるようになっている。そして、ネック体４における立上部４４の上端には、握り部（図示せず）を備えたシャフト３の下端部が連結されている。【００１３】  また、ネック体４のヘッド本体２２への取り付けをネジ式の取付構造とする際、ネック体４における取付基部４１のヘッド本体２２への螺着による取付角度を任意に調整できるようにロックナットや固定ビスなどの適宜調整手段を備えている。【００１４】  以上のように、本考案のゴルフパター１は、平面視Ｔ字型のクラブヘッド２で、ネック体４がクラブヘッド２の上部中心線上の後方部に取付けられる構造であるから、重心深度が深めで、ヘッド重量も重めであり、そのため、クラブヘッド２が前に出やすく、つまりインパクト時に重心は未だ後に残っているのでクラブヘッド２がインパクト後前に動く分ボールの転がりがよくなる。したがって、プレーヤーの高度なタッチを必要とすることなく、パターそのものにより仕事をさせることが可能となる。しかも、クラブヘッド２の上部中心線Ｘ上から上方に起立する取付基部４１と、取付基部４１の上端からクラブフェース面とほぼ平行で水平に延びる第１水平部４２と、第１水平部４２の終端からクラブフェース面に対しほぼ垂直でクラブフェース部の上方近くに延びる第２水平部４３と、第２水平部４３の終端から上方に立ち上がる立上部４４とを備えて平面視Ｌ型を呈しているので、きちんと目標に向けてブレなくブレのない正確なストロークを得ることができながら、クラブヘッド２の上部中心線Ｘ上での取付部におけ���第１支点と、クラブフェース２の上方近くのシャフト３との連結部における第２支点との組合せによる２個所の支点により、スィートエリアを外れてボールを打った場合でも、クラブヘッド２の重心を中心に回転しようしする力を効果的に抑制し、クラブヘッドが回転しないようにすることができる。【００１５】  しかも、ヘッド本体２２に３つのネジ穴２６，２７，２８を設けると共に、ネック体４の取付基部４１を３つのネジ穴２６，２７，２８のいずれかに選択的にネジ止めにより取け付けられるように構成したから、ネック体４の取付基部４１を取り付けるネジ穴２６，２７，２８の位置を変更することにより、クラブヘッド２の重心位置を前後三段に変更することができる。これにより、各ゴルフ場のグリーンの芝の状況などによって、クラブヘッド２の重心位置を前後三段に変更して３通りの打ち方の中から最適な打ち方を選択することができる。【００１６】  つまり、先ず、図４に示すようにクラブフェース部２１に対し最後方のネジ穴２８にネック体４の取付基部４１を取付けた場合、ネック体４とシャフト３との取付位置がヘッドフェース部２１の後方に位置するので、ボールを打った場合クラブヘッド２が前に出やすく、つまりインパクト時に重心は未だ後に残っているのでクラブヘッド２がインパクト後前に動く分ボールの転がりがよくなる。したがって、例えばグリーンの芝が比較的長い場合になどにおいてプレーヤーの高度なタッチを必要とすることなく、パターそのものにより仕事をさせることが可能となる。【００１７】  また、図５に示すようにクラブフェース部２１に対し最前方のネジ穴２６にネック体４の取付基部４１を取付けた場合、ネック体４とシャフト３との取付位置がヘッドフェース部の前方に位置するので、ボールを打った場合クラブヘッド２が先行しないことになる。したがって、グリーンの芝が比較的短い場合になどにおいてプレーヤーのタッチを重視して距離感をきちんと出すのに適している。【００１７】  さらに、図３に示すようにクラブフェース部２１に対し真ん中のネジ穴２７にネック体４の取付基部４１を取り付けた場合、ネック体４とシャフト３との取付位置がヘッドフェース部２１の真上に位置するので、ボールを打つ際、ボールをより正確にヒットさせ易くなると共に、インパクト時に重心はやや後方に残ることになるので、ボールの転がりもよくでき、オーソドックスな打ち方をする場合に適している。【００１８】  また、ネック体４のヘッド本体２２への取り付けをネジ式の取付構造とする際、ネック体４における取付基部４１のヘッド本体２２への取付角度を任意に調整できるようにロックナットや固定ビスなどの適宜調整手段を備えているので、その取り付けに際し、ネック体４における取付基部４１のヘッド本体２２への取付角度を任意に調整することが可能である。これにより、ボールを打つ人によって引っ掛け気味のくせがあったり、プッシュアウト気味のくせがあったりする場合には、ネック体４をクラブフェース面に対しややオープン気味或いはクローズ気味となるようにその取付角度を多少調整することにより、上記したプレーヤーくせを押さえることが可能となる。【００１９】  さらには、ネック体４をヘッド本体２に取り付け���に際し、図２においてネック体４を時計周り方向に９０度回転させて取り付けるようにすれば、左打ちのゴルフパターとして使用することも可能である。
【図面の簡単な説明】
【００２０】
【図１】  本考案に係るゴルフパターの正面図である。
【図２】  同平面図である。
【図３】  同縦断面図である。
【図４】  ネック体の別の取付状態を示す側面図である。
【図５】  ネック体のさらに別の取付状態を示す側面図である。
【図６】  従来例の説明図である。
【図７】  同平面図である。
【符号の説明】
【００２１】１          ゴルフパター
２          クラブヘッド
３          シャフト
４          ネット体
２１        クラブフェース部
２２        ヘッド本体
２６        ネジ穴
２７        ネジ穴
２８        ネジ穴
４１        取付基部
４１ａ      ネジ
４２        第１水平部
４３        第２水平部
４４        立上部
【図１】
0003111842.tif 000003
【図２】
0003111842.tif 000004
【図３】
0003111842.tif 000005
【図４】
0003111842.tif 000006
【図５】
0003111842.tif 000007
【図６】
0003111842.tif 000008
【図７】
0003111842.tif 000009